(57)【特許請求の範囲】
【請求項１】
下記（ａ）成分と（ｂ）成分を含有する組成物が、下記（ｃ）成分で乳化された水中油型乳化物を含有する繊維製品処理剤。
（ａ）成分：スクワラン、ワセリンから選ばれる炭化水素類、植物性油脂、動物性油脂又はそれらの水素化物、炭素数１４〜１８の飽和又は不飽和の脂肪酸、分子量2000〜4000のポリプロピレングリコールから選ばれる疎水性機能性油剤
（ｂ）成分：HLBが０を超え、７以下であるポリエーテル変性シリコーン
（ｃ）ヒドロキシ基、カルボン酸基、４級アンモニウム基、アミノ基及びアミド基から選ばれる基を１つ以上有し、総炭素数が２〜２０であるモノマー単位（ｃ１）（但し（ｃ２）のモノマー単位は除く）、及び炭素数８〜２２の炭化水素基を有するモノマー単位（ｃ２）を、（ｃ１）／（ｃ２）＝１０／３〜１０００／１のモル比で含有する高分子化合物
【請求項２】
（ａ）成分と（ｂ）成分の質量比が、（ａ）成分／（ｂ）成分＝１／１０〜５／１である請求項１記載の繊維処理剤組成物。
【請求項３】
（ａ）成分、（ｂ）成分及び（ｃ）成分を、〔（ａ）成分＋（ｂ）成分〕／（ｃ）成分＝１００／３０〜１５０／１の質量比で含有する請求項１又は２に記載の繊維処理剤組成物。
【請求項４】
（ｃ）成分が、下記（i）及び（ii）から選ばれる少なくとも１種の高分子化合物である請求項１〜３のいずれか１項に記載の繊維処理剤組成物。
（i）一般式（１）で表されるモノマー単位（ｃ１−１）及び一般式（２）で表されるモノマー単位（ｃ２−１）を含有し、（ｃ１−１）／（ｃ２−１）がモル比で１００／３０〜１５０／１であり、分子中の全モノマー数に対する（ｃ１−１）と（ｃ２−１）の合計モノマー数の割合が５０〜１００モル％である高分子化合物
【化１】
0004813200.tif 000014
〔式中の記号の意味は次のとおり
Ｒ11及びＲ21は、それぞれ独立に、水素原子又は炭素数１〜３のアルキル基であり、
Ｒ12及びＲ22は、それぞれ独立に、水素原子及び−ＣＯＯＭ1（ここで、Ｍ1は、水素原子又はアルカリ金属原子もしくはアルカリ土類金属原子を示す）から選ばれる基であり、
Ｒ13及びＲ23は、それぞれ独立に、水素原子、炭素数１〜３のアルキル基及びヒドロキシ基から選ばれる基であり、
Ｒ24は、炭素数８〜２２の炭化水素基であり、
Ａは、−ＣＯＯＭ2、−ＯＨ、−ＣＯＮ（Ｒ14）（Ｒ15）、−ＣＯＯ−Ｒ16−Ｎ+（Ｒ17）（Ｒ18）（Ｒ19）・Ｘ-、−ＣＯＯ−Ｒ16−Ｎ（Ｒ17）（Ｒ18）、−ＣＯＮ（Ｒ14）−Ｒ15−Ｎ+（Ｒ17）（Ｒ18）（Ｒ19）・Ｘ-、−ＣＯＮ（Ｒ14）−Ｒ16−Ｎ（Ｒ17）（Ｒ18）、もしくは環内にアミノ基又はアミド基を少なくとも１つ有する５又は６員環構造の複素環基であり（ここで、Ｍ2は、水素原子又はアルカリ金属原子もしくはアルカリ土類金属原子、Ｒ14、Ｒ15、Ｒ17、Ｒ18及びＲ19は、それぞれ独立に、水素原子、炭素数１〜３のアルキル基又は炭素数１〜３のヒドロキシアルキル基、Ｒ16は、炭素数１〜５のアルキレン基、Ｘ-は有機又は無機の陰イオン基を示す）、
Ｂは、−Ｏ−、−ＣＯＯ−、−ＯＣＯ−又は−ＣＯＮＲ25−（ここで、Ｒ25は、水素原子、炭素数１〜３のアルキル基又は炭素数１〜３のヒドロキシアルキル基を示す）から選ばれる基であり、
Ｄは、エーテル基、エステル基、陽イオン基又はアミド基から選ばれる基を介してＲ24と結合し、Ｂ及びＲ24を連結する炭素数２〜６の２価の炭化水素基、オキシアルキレン基の平均付加モル数が１〜３００のポリオキシアルキレン基及びグリセリル基の平均付加モル数１〜１０のポリグリセリル基から選ばれる少なくとも１種の基であり、
ａは０又は１の数を示す。］
（ii）単糖単位、又はヒドロキシアルキル（炭素数１〜３）化、カルボキシアルキル（炭素数１〜３）化もしくはカチオン化された単糖単位（ｃ１−２）と、単糖単位、又はヒドロキシアルキル（炭素数１〜３）化、カルボキシアルキル（炭素数１〜３）化もしくはカチオン化された単糖単位のヒドロキシ基の水素原子の一部又は全てが、一般式（３）で表される基で置換されている単糖単位（ｃ２−２）を有し、（ｃ１−２）／（ｃ２−２）がモル比で１０／１〜１０００／１である多糖誘導体。
−Ｒ31−（ＯＲ32）b−Ｅ−Ｒ33      （３）
［式中、Ｒ31は、ヒドロキシ基又はオキソ基で置換されていてもよい炭素数１〜６の直鎖もしくは分岐鎖の２価の飽和炭化水素基であり、
Ｒ32は、ヒドロキシ基又はオキソ基で置換されていてもよい炭素数１〜６の直鎖もしくは分岐鎖の２価の飽和炭化水素基であり、
ｂは１〜３００の数を示し、ｂ個のＲ32は同一又は異なっていてもよく、
Ｅは、−Ｏ−、−ＣＯＯ−及び−ＯＣＯ−から選ばれる基であり、
Ｒ33は、ヒドロキシ基で置換されていてもよい炭素数８〜２２の直鎖又は分岐鎖の炭化水素基である。］
【発明の詳細な説明】
【技術分野】
【０００１】
本発明は、繊維処理剤組成物に関する。
【背景技術】
【０００２】
種々の機能性材料を繊維に吸着させるための衣類用処理剤が知られている。例えば、特許文献１には、セラミド等の物質を含有する繊維処理剤が開示されている。特許文献２には、セリシンを含有する柔軟剤組成物が開示されている。特許文献３には、アスコルビン酸誘導体を含有する機能化繊維材料が開示されている。
【０００３】
一方、多糖類をアルキルポリオキシアルキレン基や陽イオン基で変性した化合物がすでに知られている。特許文献４には、アルキルグリセリルエーテル基を有する多糖類が開示されている。特許文献５、特許文献６及び特許文献７には、アルキルポリオキシアルキレン基や陽イオン基若しくはスルホアルキル基で変成した化合物が増粘剤として有効であることが開示されている。特許文献８には、（Ａ）炭素数１０〜４３のアルキル基等、（Ｂ）カルボキシメチル基、及び（Ｃ）炭素数１〜６のアルキレンアンモニウム基が置換した多糖誘導体が衣料用糊剤として有効であることが記載されている。更に、特許文献９には、トイレタリー製品に有効な増粘剤が開示されている。
【特許文献１】特開２００１−１４６６８０号公報
【特許文献２】特開２００１−１９２９７０号公報
【特許文献３】特開２００２−６１０７３号公報
【特許文献４】特開平９−１１０９０１号公報
【特許文献５】特開平１０−２９２００１号公報
【特許文献６】特開平１０−３３０４０１号公報
【特許文献７】特開平１１−１０６４０１号公報
【特許文献８】特開２０００−１７８３０３号公報
【特許文献９】国際公開第００／７３３５１号パンフレット
【発明の開示】
【発明が解決しようとする課題】
【０００４】
上記のとおり、種々の機能性材料を繊維に吸着させるための衣料処理剤が知られているが（特許文献１〜３）、未だ十分な吸着量を得ることができず、また処理布の風合いも満足できるものではない。
【０００５】
更に、多糖類をアルキルポリオキシアルキレン基や陽イオン基で変性した化合物もすでに知られているが（特許文献４〜９）、これらは化粧品用途や、増粘剤もしくは分散剤として用いる技術であり、機能性材料の衣料への吸着や処理布の風合いについて何ら示唆するものではない。
【０００６】
本発明の課題は、疎水性機能性油剤を衣類へ多量に吸着させつつ、処理後の衣類に満足できる風合いを付与できる繊維処理剤組成物を提供することである。
【課題を解決するための手段】
【０００７】
本発明は、課題の解決手段として、下記（ａ）成分と（ｂ）成分を含有する組成物が下記（ｃ）成分で乳化された水中油型乳化物を含有する繊維製品処理剤を提供する。
（ａ）成分：疎水性機能性油剤
（ｂ）成分：HLBが０を超え、７以下であるポリエーテル変性シリコーン
（ｃ）ヒドロキシ基、カルボン酸基、４級アンモニウム基、アミノ基及びアミド基から選
ばれる基を１つ以上有し、総炭素数が２〜２０であるモノマー単位（ｃ１）（但し（ｃ２）のモノマー単位は除く）、及び炭素数８〜２２の炭化水素基を有するモノマー単位（ｃ２）を、（ｃ１）／（ｃ２）＝１０／３〜１０００／１のモル比で含有する高分子化合物。
【発明の効果】
【０００８】
本発明の繊維処理剤組成物は、繊維に（ａ）及び（ｂ）成分を有効に吸着させることができ、人が触ったときに好ましい風合いを付与することができる。
【発明を実施するための最良の形態】
【０００９】
［（ａ）成分］
本発明の（ａ）成分は、疎水性機能性油剤であればよく、本発明において機能性油剤とは、繊維に吸着させることで繊維を改質できる剤だけでなく、処理した繊維製品を着用した際に皮膚との摩擦性を低減できる剤も含まれる。好ましい（ａ）成分としては、２０℃での水１００ｇに溶解しうる溶質の最大質量（溶解度）が１％以下であること、融点が７０℃以下であること、飽和蒸気圧が２０℃、０．１MPa（１atm）で１．４５kPa（１１mmHg）以下であること、という３つの要件を全て満たす化合物である。好ましい（ａ）成分
は、３つのの要件の全てを満たす１つの化合物でもよいし、複数の化合物を組み合わせて３つの要件を満たすようにしたものでもよい。
【００１０】
溶解度は、０．５％以下が更に好ましく、０．１％以下が特に好ましい。融点（液体状態を保っている温度）は６０℃以下が更に好ましく、５０℃以下が特に好ましい。飽和蒸気圧は、０．６７kPa（５mmHg）以下が更に好ましく、０．１３kPa（１mmHg）以下が特に好ましい。
【００１１】
（ａ）成分の好ましい化合物の具体例としては、高級アルコール類、ステロール類、フッ素系油剤、油性成分等を挙げることができる。
【００１２】
（I）高級アルコール
高級アルコールとしては、炭素数１０〜１８、好ましくは１２〜１８、より好ましくは１４〜１８の飽和又は不飽和の脂肪アルコールを挙げることができ、具体的には、デシルアルコール、ミリスチルアルコール、パルミチルアルコール、ステアリルアルコール、オレイルアルコール、リノールアルコール、イソセチルアルコール、イソステアリルアルコール、ベヘニルアルコール、ヘキサデシルアルコール、フェニルエチルアルコール、セタノール、オレイルアルコール、２−オクチルドデカノール、バチルアルコール、２−ヘキシルデカノールを挙げることができ、繊維処理剤として用いる場合にはオレイルアルコール、セタノール、ステアリルアルコールが好適である。
【００１３】
（II）ステロール類
ステロール類としては、コレステロール、イソステアリン酸コレステリル、プロビタミンＤ３、カンベステロール、ステグマスタノール、ステグマステロール、５−ジヒドロコレステロール、α−スピナステロール、パリステロール、クリオナステロール、アルケニルコハク酸コレステリル（特開平５−２９４９８９号公報）等を挙げることができる。これらのうち、特にコレステロール、イソステアリン酸コレステリル、アルケニルコハク酸コレステリルが好ましい。
【００１４】
（油性成分）
油性成分としては、以下の（III）〜（VIII）等を挙げることができる。
【００１５】
（III）炭化水素類；具体的には、固体状又は液体状パラフィン、ワセリン、クリスタ
ルオイル、セレシン、オゾケライト、モンタンロウ、スクアラン、スクアレン等の炭化水素類。
【００１６】
（IV）植物性、又は動物性油脂又はそれらの水素化物；具体的には、オリーブ油、アボガド油、月見草油、ホホバ油、ツバキ油、マカデミアナッツ油、ハッカ油、ヒマワリ油、ナタネ油、ゴマ油、小麦胚芽油、ヒマシ油、サフラワー油、綿実油、大豆油、ホホバ油、ヤシ油、パーム油、パーム核油、牛脂、豚脂、魚油、馬脂、卵黄油、カルナウバロウ、ラノリンを挙げることができる。また、これらの油脂を更にラネーニッケル等の触媒を用いて部分水素化又は完全水素化した半硬化油、あるいは完全硬化油等を用いることができ、繊維処理剤に用いる場合にはオリ−ブ油、ひまわり油が好適である。
【００１７】
（V）分子量３００〜３０００の脂肪酸エステル類；具体的には、炭素数１０〜１８の
脂肪酸と炭素数１〜６の１〜６価のアルコールとのエステル化合物が好適である。
【００１８】
アルコールの好ましい例としては、エタノール、イソプロパノール、ブタノール、ヘキサノールから選ばれる１価アルコール、エチレングリコール、プロピレングリコール、ジエチレングリコール、ジプロピレングリコール、１，６−ヘキサンジオール等の２価アルコール、グリセリン（グリセリンの場合はモノ又はジエステルとする）、ペンタエリスリトール、グルコース、ソルビトール、ソルビタン等の３価以上のアルコールを挙げることができる。本発明では、特にイソプロピルラウレート、イソプロピルミリステート、ペンタエリスリトールモノステアレートが好適である。
【００１９】
（VI）炭素数１０〜１８、好ましくは１２〜１８、より好ましくは１４〜１８の飽和又は不飽和の脂肪酸；具体的には、ラウリン酸、ミリスチン酸、パルミチン酸、パルミトレイン酸、ステアリン酸、オレイン酸、リノール酸を挙げることができ、繊維処理剤として用いる場合にはオレイン酸又はパルミトレイン酸が好適である。
【００２０】
（VII）セラミド又は擬似セラミド類；具体的には、下記１３種類の化合物を挙げるこ
とができる。
【００２１】
セラミド１：C17H31COOC29H58CONHCH(CH2OH)CH(OH)C15H29
セラミド２：C23H47CONHCH(CH2OH)CH(OH)C15H29
セラミド３：C23H47CONHCH(CH2OH)CH(OH)CH(OH)C14H29
セラミド４：C24H49CH(OH)CONHCH(CH2OH)CH(OH)C15H29
セラミド５：C22H45CH(OH)CONHCH(CH2OH)CH(OH)C15H29
セラミド６：C22H45CH(OH)CONHCH(CH2OH)CH(OH)CH(OH)C14H29
セラミド７：HOC2H4OCH2NHCO(CH2)6CH(CH3)C3H6CH(CH3)(CH2)6CONHCH2OC2H4OH
セラミド８：HOC2H4OCH2NHCO(CH2)18CONHCH2OC2H4OH
セラミド９：CH3OC3H6NHCO(CH2)6CH(CH3)C3H6CH(CH3)(CH2)6CONHC3H6OCH3
セラミド１０：CH3OC3H6NHCO(CH2)18CONHC3H6OCH3
セラミド１１：CH3OC3H6NHCO(CH2)8CONHC3H6OCH3
セラミド１２：CH3(CH2)11OC3H6NHCO(CH2)8CONHC3H6O(CH2)11CH3
セラミド１３：CH3CH2CH2CH2CH(C2H5)CH2NHCO(CH2)8CONHCH2CH(C2H5)CH2CH2CH2CH3
また、上記１３種類の化合物で、４０℃において流動性のないものは、流動パラフィン、流動イソパラフィン、低級アルコール、低級脂肪酸、低分子量エステル化合物と混合して用いることができる。
【００２２】
（VIII）ポリオキシアルキレングリコール類；ポリオキシアルキレングリコール類としては、ポリプロピレングリコール、ポリエチレングリコール／ポリプロピレングリコール共重合体を挙げることができる。本発明では分子量2000〜4000のポリプロピレングリコー
ルが好適である。
【００２３】
本発明の（ａ）成分の中では、（I）、（III）、（IV、（V）、（VI）が好ましく、（III）、（IV）、（VI）が特に好ましい。
【００２４】
〔（ｂ）成分〕
本発明の（ｂ）成分は、HLBが０を超え７以下であるポリエーテル変性シリコーンであ
り、ポリエーテル変性シリコーンのHLBは、０を超え５以下が好ましく、０を超え３以下
が更に好ましい。
【００２５】
（ｂ）成分としては、下記一般式（４）の化合物（以下（ｂ１）成分という）、一般式（５）の化合物（以下（ｂ２）成分という）を用いることができる。
【００２６】
【化２】
0004813200.tif 000002
【００２７】
〔式中、Ｒ４１は水素原子又は１価の炭化水素基、Ｒ４２は炭素数１〜２０の２価炭化水素基、ＥＯはオキシエチレン基、ＰＯはオキシプロピレン基である。ｃ及びｄは平均重合度であり、これらの値は、２５℃における粘度が、２〜１００万ｍｍ２/ｓが好ましく、
５０〜５０万ｍｍ２/ｓが更に好ましく、１５０〜１０万ｍｍ２/ｓが特に好ましいように選ばれる。ｍは平均で０以上の数、ｎは平均で０以上の数である。尚、複数個のＲ４１、Ｒ４２、ｃ、ｄ及びｍは同一でも異なっていてもよい〕。
【００２８】
一般式（４）において、Ｒ４１は、水素原子又はメチル基が好ましい。Ｒ４２は、炭素数３〜６の２価炭化水素基、特にアルキレン基が好ましい。ｃ、ｄは、それぞれ０〜６０の数が好ましく、０〜３５の数が更に好ましい。ｍは、平均で１〜５００の数が好ましい。ｎは、平均で１〜１００の数が好ましい。
【００２９】
具体的な（ｂ１）成分としては、日本ユニカー（株）製のＦＺ−２２０３、ＦＺ−２２０６、ＦＺ−２２０７，ＦＺ−２２２２、Ｆ１−００９−０１、Ｆ１−００９−０５、Ｆ１−００９−０９、Ｆ１−００９−１１、Ｆ１−００９−１３を挙げることができる。
【００３０】
（ｂ１）成分のHLBの値は、次のようにして測定された曇数Aから、下記式で求められる値である。なお、（ｂ１）成分及び後述する（ｂ２）成分の構造を有するポリエーテル変性シリコーン以外のポリエーテル変性シリコーンのＨＬＢ値も同じ方法で求められる値である。
【００３１】
HLB＝曇数A×０．８９+１．１１
＜曇数の測定法＞
曇数Aは公知の方法〔界面活性剤便覧、３２４頁〜３２５頁（産業図書（株）  昭和３
５年７月５日発行）〕に準じて、以下のようにして測定される。
【００３２】
無水のポリエール変性シリコーン２．５ｇを秤量し、９８％エタノールを加え２５ｍｌに定容（２５ｍｌメスフラスコ使用）する。次に、これを５ｍｌホールピペットで分取し、５０ｍｌビーカーに入れ２５℃の低温に保ち攪拌（マグネティックスターラー使用）しながら、２％フェノール水溶液で２５ｍｌビューレットを使用して測定する。液が混濁し
たところを終点とし、この滴定に要した２％フェノール水溶液のｍｌ数を曇数Aとする。
【００３３】
【化３】
0004813200.tif 000003
【００３４】
〔式中、Ｒ５１、Ｒ５２、Ｒ５３は、炭素数１〜３のアルキル基、水素原子、ヒドロキシ基から選ばれ、特にメチル基が好ましい。ｏ、ｐは平均重合度であり、これの値は２５℃における粘度が、２〜１００万ｍｍ２/ｓが好ましく、５０〜５０万ｍｍ２/ｓが更に好ましく、１５０〜１０万ｍｍ２/ｓが特に好ましいように選ばれ、ｏは１０〜１００００、
好ましくは１０〜１０００であり、ｐは１〜１０００、好ましくは３〜１００である。Ｒ５４は、炭素数１〜３のアルキレン基であり、Ｒ５５は、−（ＥＯ）ｅ−（ＰＯ）ｆ−Ｘ（Ｘ：炭素数１〜３のアルキル基、あるいは水素原子）であり、ＥＯはオキシエチレン基、ＰＯはオキシプロピレン基である。ｅ及びｆの合計は１〜１００、好ましくは２〜１００、特に好ましくは２〜５０である。〕
尚、（ｂ２）成分のHLBの値は、下記式で求められる値である。
【００３５】
HLB＝〔（ＥＯ）の重量％+（ＰＯ）の重量％〕÷５
具体的な（ｂ２）成分としては、東レ・ダウコーニング・シリコーン（株）製のＳＨ３７７２M、ＳＨ３７７５Ｍ信越化学工業（株）製のＫＦ６０１２、ＫＦ６０１６、ＫＦ６
０１７、東芝シリコーン（株）製のＴＳＦ４４４５、ＴＳＦ４４４６を挙げることができる。
【００３６】
〔（ｃ）成分〕
（ｃ）成分は、構成単位（ｃ１）と（ｃ２）を所定のモル比で含有する高分子化合物である。
【００３７】
構成単位（ｃ１）中の、ヒドロキシ基、カルボン酸基、４級アンモニウム基、アミノ基及びアミド基から選ばれる官能基は、高分子化合物に水溶性を与える効果、及び繊維製品に吸着する効果の両者を併せ持つ基である。モノマー単位（ｃ２）中の炭素数８〜２２の炭化水素基は、（ａ）成分及び／又は（ｂ）成分の液滴に吸着し、油剤を水溶液に安定化させる効果を有するもので、何れも本発明において重要な働きを有する。
【００３８】
（ｃ）成分は、下記（i）から選ばれる高分子化合物又は下記（ii）から選ばれる高分
子化合物から選ばれる少なくとも１種の化合物が好ましい。
【００３９】
〔（i）の高分子化合物〕
下記一般式（１）のモノマー単位（ｃ１−１）及び下記一般式（２）のモノマー単位（ｃ２−１）を含有し、（ｃ１−１）／（ｃ２−１）がモル比で１０／３〜１５０／１であり、（ｃ１−１）と（ｃ２−１）の合計のモノマー数が分子中の全モノマー数に対して５０〜１００モル％である高分子化合物。
【００４０】
【化４】
0004813200.tif 000004
【００４１】
〔式中の記号の意味は次のとおり
Ｒ１１及びＲ２１は、それぞれ独立に、水素原子又は炭素数１〜３のアルキル基であり、
Ｒ１２及びＲ２２は、それぞれ独立に、水素原子及び−ＣＯＯＭ１（ここで、Ｍ1は、
水素原子又はアルカリ金属原子もしくはアルカリ土類金属原子を示す）から選ばれる基であり、
Ｒ１３及びＲ２３は、それぞれ独立に、水素原子、炭素数１〜３のアルキル基及びヒドロキシ基から選ばれる基であり、
Ｒ２４は、炭素数８〜２２の炭化水素基であり、
Ａは、−ＣＯＯＭ２、−ＯＨ、−ＣＯＮ（Ｒ１４）（Ｒ１５）、−ＣＯＯ−Ｒ１６−Ｎ+（Ｒ１７）（Ｒ１８）（Ｒ１９）・Ｘ−、−ＣＯＯ−Ｒ１６−Ｎ（Ｒ１７）（Ｒ１８）
、−ＣＯＮ（Ｒ１４）−Ｒ１５−Ｎ+（Ｒ１７）（Ｒ１８）（Ｒ１９）・Ｘ−、−ＣＯＮ
（Ｒ１４）−Ｒ１６−Ｎ（Ｒ１７）（Ｒ１８）、もしくは環内にアミノ基又はアミド基を少なくとも１つ有する５又は６員環構造の複素環基であり（ここで、Ｍ２は、水素原子又はアルカリ金属原子もしくはアルカリ土類金属原子、Ｒ１４、Ｒ１５、Ｒ１７、Ｒ１８及びＲ１９は、それぞれ独立に、水素原子、炭素数１〜３のアルキル基又は炭素数１〜３のヒドロキシアルキル基、Ｒ１６は、炭素数１〜５のアルキレン基、Ｘ−は有機又は無機の陰イオン基を示す）、
Ｂは、−Ｏ−、−ＣＯＯ−、−ＯＣＯ−又は−ＣＯＮＲ２５−（ここで、Ｒ２５は、水素原子、炭素数１〜３のアルキル基又は炭素数１〜３のヒドロキシアルキル基を示す）から選ばれる基であり、
Ｄは、エーテル基、エステル基、陽イオン基又はアミド基から選ばれる基を介してＲ２４と結合し、Ｂ及びＲ２４を連結する炭素数２〜６の２価の炭化水素基、オキシアルキレン基の平均付加モル数が１〜３００のポリオキシアルキレン基及びグリセリル基の平均付加モル数１〜１０のポリグリセリル基から選ばれる少なくとも１種の基であり、
ａは０又は１の数を示す］。
【００４２】
（ii）単糖単位、又はヒドロキシアルキル（炭素数１〜３）化、カルボキシアルキル（炭素数１〜３）化もしくはカチオン化された単糖単位（ｃ１−２）と、単糖単位、又はヒドロキシアルキル（炭素数１〜３）化、カルボキシアルキル（炭素数１〜３）化もしくはカチオン化された単糖単位のヒドロキシ基の水素原子の一部又は全てが、一般式（３）で表される基で置換されている単糖単位（ｃ２−２）を有し、（ｃ１−２）／（ｃ２−２）がモル比で１０／１〜１０００／１である多糖誘導体。
【００４３】
−Ｒ３１−（ＯＲ３２）b−Ｅ−Ｒ３３      （３）
［式中、Ｒ３１は、ヒドロキシ基又はオキソ基で置換されていてもよい炭素数１〜６の直
鎖もしくは分岐鎖の２価の飽和炭化水素基であり、
Ｒ３２は、ヒドロキシ基又はオキソ基で置換されていてもよい炭素数１〜６の直鎖もしくは分岐鎖の２価の飽和炭化水素基であり、
ｂは１〜３００の数を示し、ｂ個のＲ３２は同一又は異なっていてもよく、
Ｅは、−Ｏ−、−ＣＯＯ−及び−ＯＣＯ−から選ばれる基であり、
Ｒ３３は、ヒドロキシ基で置換されていてもよい炭素数８〜２２の直鎖又は分岐鎖の炭化水素基である］。
【００４４】
（i）の高分子化合物は、重合可能な不飽和化合物をラジカル重合等の通常の方法で合
成した合成高分子化合物である。
【００４５】
一般式（１）において、Ｒ１１、Ｒ１２は、水素原子が好ましく、Ｒ１３は、水素原子又はメチル基が好ましい。
【００４６】
Ａの定義中、Ｒ１４、Ｒ１５、Ｒ１７、Ｒ１８、Ｒ１９は、水素原子、メチル基、エチル基又はヒドロキシエチル基が好ましく、特にＲ１５、Ｒ１７、Ｒ１８、Ｒ１９は、メチル基が好ましく、Ｒ１４は、水素原子、又はメチル基が特に好ましい。Ｒ１６は、エチレン基又はプロピレン基が好ましい。また、複素環基としては、ピロリドン基、ピリジン基、ピペラジン基、イミダゾール基、好ましくはピロリドン基を挙げることができる。
【００４７】
Ｘ−は、クロルイオン、硫酸イオン、炭素数１〜３のアルキル硫酸エステルイオン、炭素数１〜１２の脂肪酸イオン、炭素数１〜３のアルキル基が１〜３個置換していてもよいベンゼンスルホン酸イオン、好ましくはクロルイオン又はエチル硫酸エステルイオンが好適である。
【００４８】
一般式（２）において、Ｒ２１、Ｒ２２は、水素原子が好ましく、Ｒ２３は、水素原子又はメチル基が好ましい。Ｒ２４は、炭素数１０〜１８のアルキル基又は炭素数１０〜１８のアルケニル基、好ましくは炭素数１０〜１８のアルキル基である。
【００４９】
Ｂは、−ＣＯＯ−又は−ＣＯＮＲ２５−が好ましく、Ｒ２５は水素原子が好ましい。Ｄは、Ｂ及びＲ２４を連結する基であり、Ｂ及びＲ２４を含めた好ましい具体的構造の例として、−Ｂ−〔ＣＨ２ＣＨ（ＯＨ）ＣＨ２Ｏ〕ｇ−（Ｃ２Ｈ４Ｏ）ｈ−（Ｃ３Ｈ６Ｏ）i
−Ｒ２４、−Ｂ−ＣjＨ２j−Ｎ＋（ＣＨ３）２−Ｒ２４、−Ｂ−ＣjＨ２j−ＣＯＯ−Ｒ２４、−Ｂ−ＣjＨ２j−ＣＯＮＨ−Ｒ２４を挙げることができる。
【００５０】
ここで、ｇは０〜１０の数、好ましくは０〜５の数である。ｈは０〜３００の数、好ましくは０〜１５０の数、より好ましくは０〜８０の数、特に好ましくは１〜３０の数であり、ｉは０〜３００の数、特に好ましくは０〜１００の数である。ｇが０の場合は、ｇ＋ｈは１〜３００、好ましくは１〜１００、特に好ましくは１〜５０の数であり、ｇが１〜１０、好ましくは１〜５、より好ましくは１又は２、特に好ましくは１の場合は、ｇ＋ｈは０〜３００の数である。ｊは２〜６の数、好ましくは２又は３の数である。
【００５１】
（i）の高分子化合物では、一般式（２）においてａが１のモノマー単位が本発明の効
果を得る目的から好ましく、高分子の主鎖と、（ａ）成分や（ｂ）成分と親和性のある疎水基Ｒ２４の間にスペーサーを設けることで乳化粒子の安定性が向上するものと推定される。
【００５２】
本発明では、一般式（２）においてｇ及びｉが０であり、ｈが５〜４０のモノマー単位が特に好ましい。
【００５３】
モノマー単位（ｃ１−１）に由来する単量体（ｃ１’）としては、（メタ）アクリル酸（又はアルカリ金属塩、アルカリ土類金属塩）、（無水）マレイン酸（又はアルカリ金属塩、アルカリ土類金属塩）、α−ヒドロキシアクリル酸（又はアルカリ金属塩、アルカリ土類金属塩）、（メタ）アクリル酸ジアルキル（炭素数１〜３）アミド、（メタ）アクリル酸ジアルカノール（炭素数２〜３）アミド、（メタ）アクリル酸モノアルカノール（炭素数２〜３）アミド等を挙げることができる。
【００５４】
モノマー単位（ｃ２−１）のに由来する単量体（ｃ２’）としては、以下の化合物を挙げることができる。
【００５５】
ＣＨ２＝ＣＨＣＯＯ（Ｃ２Ｈ４Ｏ）ｈ−Ｒ２４
ＣＨ２＝Ｃ（ＣＨ３）ＣＯＯ（Ｃ２Ｈ４Ｏ）ｈ−Ｒ２４
ＣＨ２＝ＣＨＣＯＯＣ２Ｈ４Ｎ＋（ＣＨ３）２（Ｒ２４）・Ｘ−
ＣＨ２＝Ｃ（ＣＨ３）ＣＯＯＣ２Ｈ４Ｎ＋（ＣＨ３）２（Ｒ２４）・Ｘ−
ＣＨ２＝ＣＨＣＯＮＣ３Ｈ６Ｎ＋（ＣＨ３）２（Ｒ２４）・Ｘ−
ＣＨ２＝Ｃ（ＣＨ３）ＣＯＮＣ３Ｈ６Ｎ＋（ＣＨ３）２（Ｒ２４）・Ｘ−
ＣＨ２＝ＣＨＣＯＯＲ２４
ＣＨ２＝Ｃ（ＣＨ３）ＣＯＯＲ２４
（上記一連の式中、Ｒ２４、ｈ、及びＸ−は前記の意味を表す。）
また、（ｃ１’）から選ばれる単量体と酢酸ビニルを共重合させた後、ケン価して得られたビニルアルコール単位の−ＯＨに、一般式（６）
【００５６】
【化５】
0004813200.tif 000005
【００５７】
（式中、Ｒ２４及びｈは前記の意味を表す。）
で示されるグリシジルエーテル化合物を反応させて（ｃ２−１）のモノマー単位を得ることもでき、（ｃ１’）から選ばれる単量体と平均付加モル数１〜３００、好ましくは１〜１００、より好ましくは１〜５０のポリオキシエチレンビニルエーテルを共重合させた後、一般式（７）
【００５８】
【化６】
0004813200.tif 000006
【００５９】
（式中、Ｒ２４は前記の意味を表す。）
で表される化合物を反応させて、モノマー単位（ｃ２−１）を得ることもできる。
【００６０】
更に単量体（ｃ１’）と、Ｎ−（メタ）アルリロイルオキシエチル−Ｎ，Ｎ−ジアルキル（炭素数１〜３）アミン及び／又はＮ−（メタ）アルリロイルアミノプロピル−Ｎ，Ｎ−ジアルキル（炭素数１〜３）アミンを共重合させた後、Ｒ２４−Ｃｌ等のアルキル化剤を用いて４級化反応を行い（ｃ２−１）由来のモノマー単位を得ることもできる。
【００６１】
（i）の高分子化合物は、モノマー単位（ｃ１−１）及び（ｃ２−１）のモノマー単位
を分子中に合計で、好ましくは５０〜１００モル％、より好ましくは５５〜１００モル％、特に好ましくは６０〜１００モル％含有する高分子化合物であり、（ｃ１’）及び（ｃ２’）あるいは（ｃ２”）と共重合可能な他の単量体と共重合させることもできる。
【００６２】
共重合可能な単量体としては、エチレン、プロピレン、Ｎ−ブチレン、イソブチレン、Ｎ−ペンテン、イソプレン、２−メチル−１−ブテン、Ｎ−ヘキセン、２−メチル−１−ペンテン、３−メチル−１−ペンテン、４−メチル−１−ペンテン、２−エチル−１−ブテン、スチレン、ビニルトルエン、α−メチルスチレン等の化合物を挙げることができる。
【００６３】
（i）の高分子化合物の重量平均分子量は、好ましくは２０００〜２０万、より好まし
くは３０００〜１５万、特に好ましくは４０００〜１２万である。なお、重量平均分子量はゲルパーミエーションクロマトグラフィーにより、ポリエチレングリコールを標準として求めることができる。
【００６４】
［（ii）の高分子化合物］
単糖単位、又はヒドロキシアルキル（炭素数１〜３）化、カルボキシアルキル（炭素数１〜３）化、もしくはカチオン化された単糖単位（ｃ１−２）と、単糖単位又はヒドロキシアルキル（炭素数１〜３）化、カルボキシアルキル（炭素数１〜３）化、もしくはカチオン化された単糖単位のヒドロキシ基の水素原子の一部又は全てが、一般式（３）で表される基で置換されている単糖単位（ｃ２−２）を有し、（ｃ１−２）／（ｃ２−２）がモル比で１０／１〜１０００／１である多糖誘導体。
【００６５】
Ｒ３１−（ＯＲ３２）b−Ｅ−Ｒ３３       （３）
［式中、Ｒ３１は、ヒドロキシ基又はオキソ基で置換されていてもよい炭素数１〜６の直鎖もしくは分岐鎖の２価の飽和炭化水素基であり、
Ｒ３２は、ヒドロキシ基又はオキソ基で置換されていてもよい炭素数１〜６の直鎖もしくは分岐鎖の２価の飽和炭化水素基であり、
ｂは１〜３００の数を示し、ｂ個のＲ３２は同一又は異なっていてもよく、
Ｅは、−Ｏ−、−ＣＯＯ−又は−ＯＣＯ−から選ばれる基であり、
Ｒ３３は、ヒドロキシ基で置換されていてもよい炭素数８〜２２の直鎖又は分岐鎖の炭化水素基である］。
【００６６】
（ii）の高分子化合物において（ｃ１−２）の単糖単位としては、グルコース、マンノース、フラクトース、ガラクトース、キシロースを挙げることができ、グルコースが特に好ましい。また、高分子化合物に水溶性を付与する目的からヒドロキシアルキル（炭素数１〜３）化、好ましくはヒドロキシエチル化、カルボキシアルキル（炭素数１〜３）化、好ましくはカルボキシメチル化、もしくはカチオン化された単糖単位が好適である。
【００６７】
（ii）の高分子化合物において（ｃ２−２）の単糖単位としてはグルコース、マンノース、フラクトース、ガラクトース、キシロースを挙げることができ、グルコースが特に好ましい。また、高分子化合物に水溶性を付与する目的からヒドロキシアルキル（炭素数１〜３）化、好ましくはヒドロキシエチル化、カルボキシアルキル（炭素数１〜３）化、好ましくはカルボキシメチル化、もしくはカチオン化された単糖単位が好適である。
【００６８】
（ｃ２−２）の単糖単位には、単糖単位（ｃ１−２）のヒドロキシ基の水素原子の一部又は全てが、上記した一般式（３）で表される基で置換されたものである。
【００６９】
一般式（３）において、Ｒ３１は、好ましくはヒドロキシ基で置換されていてもよい炭
素数２又は３のアルキレン基を示し、Ｒ３２は、好ましくは炭素数２又は３のアルキレン基、より好ましくはエチレン基を示し、ｂは、好ましくは８〜１２０、特に１０〜６０が好ましく、ｂ個のＲ３２は同一でも異なってもよい。
【００７０】
Ｅは、エーテル結合（−Ｏ−）、カルボキシル基（−ＣＯＯ−）、オキシカルボニル基（−ＯＣＯ−）及び−ＯＣＯＣＨ２Ｏ−から選ばれる基であるが、エーテル結合が好ましい。
【００７１】
Ｒ３３は、好ましくは炭素数８〜２０、より好ましくは８〜１８、更に好ましくは１０〜１８、特に好ましくは１２〜１８の直鎖又は分岐鎖の炭化水素基で、直鎖アルキル基が更に好ましい。具体的には、オクチル基、デシル基、ドデシル基、テトラデシル基、ヘキサデシル基、オクタデシル基、ヘキシルデシル基、イソステアリル基、オクチルデシル基等が好ましい。
【００７２】
（ii）の高分子化合物は、（ｃ１−２）／（ｃ２−２）がモル比で１０／１〜１００００／１、好ましくは１００／８〜７５０／１、特に好ましくは１００／５〜１０００／４の多糖誘導体である。
【００７３】
このような多糖誘導体は、多糖類又は、これら多糖類のヒドロキシアルキル化物、カルボキシアルキル化物又はカチオン化物のヒドロキシ基に、一般式（８）：
Ｆ−（ＯＲ３２）ｂ−Ｅ−Ｒ３３      （８）
（式中、Ｆは、ヒドロキシ基と反応してエーテル結合もしくはエステル結合を形成する基を示し、Ｒ３２、ｂ、Ｅ及びＲ３３は前記の意味を示す。）
で示される化合物を、上記（ｃ１−２）／（ｃ２−２）のモル比の範囲内に入るように反応させることで得られる。
【００７４】
（ii）の高分子に用いられる多糖類としては、セルロース、グァーガム、スターチ、ブルラン、デキストラン、フルクタン、マンナン、寒天、カラギーナン、キチン、キトサン、ペクチン、アルギン酸、ヒアルロン酸等の多糖、これらにメチル基、エチル基、ヒドロキシエチル基、ヒドロキシプロピル基等が置換した誘導体を挙げることができる。
【００７５】
これらの置換基は、構成単糖残基中に単独で又は複数の組合せで置換することができ、これら多糖の誘導体の例としては、ヒドロキシエチルセルロース、ヒドロキシエチルエチルセルロース、ヒドロキシエチルグァーガム、ヒドロキシエチルスターチ、メチルセルロース、メチルグァーガム、メテルスターチ、エチルセルロース、エチルグァーガム、エチルスターチ、ヒドロキシプロピルセルロース等を挙げることができる。
【００７６】
これら多糖類のうち、セルロース、スターチ、ヒドロキシエチルセルロース、メチルセルロース、エチルセルロース、ヒドロキシプロピルセルロースが好ましく、特にヒドロキシエチルセルロースが好ましい。また、上記多糖の誘導体の置換基は、ヒドロキシエチル基やヒドロキシプロピル基のヒドロキシ基に更に置換して、例えばポリオキシエチレン鎖等を形成することで、構成単糖残基当たり３．０を超える置換度も可能であり、その構成単糖残基当たりの置換度は０．１〜１０．０、特に０．５〜５．０が好ましい。また、これら多糖類の重量平均分子量は、１万〜１０００万、１０万〜５００万、特に１０万〜７５万の範囲が好ましい。
【００７７】
一般式（８）で表される化合物としては、以下の化合物が好ましい。
【００７８】
【化７】
0004813200.tif 000007
【００７９】
（式中、ｂ、Ｒ３３及びｊは前記の意味を示す。）
また、多糖類がカルボキシアルキル化糖である場合には、下記一般式
Ｒ３３−Ｏ−（Ｃ２Ｈ４Ｏ）ｂ−Ｈ
Ｒ３３−ＯＣＯＣＨ２Ｏ−（Ｃ２Ｈ４Ｏ）ｂ−Ｈ
（式中、ｂ、Ｒ３３は前記の意味を示す。）
で表されるものも用いることができる。
【００８０】
本発明では、一般式（８）で表される化合物としては、一般式（８−１）で表される化合物が特に好ましい。
【００８１】
多糖類がヒドロキシアルキル化物の場合には、ヒドロキシアルキル基の置換度（単糖単位中のヒドロキシアルキル基の数）は、好ましくは０．０１〜３．５、より好ましくは０．１〜３．０が好ましく、多糖類がカルボキシアルキル化物の場合には、カルボキシアルキル基の置換度（単糖単位中のヒドロキシアルキル基の数）は、好ましくは０．０１〜３．５、より好ましくは０．０１〜３．０が好ましく、多糖類がカチオン化物の場合には、カチオン基の置換度は、好ましくは０．０１〜３．５、より好ましくは０．０１〜３．０が好ましい。
【００８２】
（ii）の高分子化合物としては、ヒドロキシエチル基の導入率が０．０１〜３．５のヒドロキシエチルセルロースに、一般式（８−１）で表される化合物を、上記（ｃ１−２）／（ｃ２−２）のモル比の範囲内に入る比率で反応させた化合物が特に好ましい。
【００８３】
なお、（ii）の高分子化合物は、国際公開第００／７３３５１号パンフレットに記載の方法で製造することができる。
【００８４】
（ｃ）成分は、モノマー単位（ｃ１）（但し（ｃ２）のモノマー単位は除く）とモノマー単位（ｃ２）を、（ｃ１）／（ｃ２）＝１００／３０〜１０００／１のモル比で含有するが、（ｃ）成分が（i）の高分子化合物の場合と（ii）の高分子化合物の場合において
、それぞれ好ましい範囲を選択する。
【００８５】
（ｃ）成分が（i）の高分子化合物の場合、（ｃ１−１）／（ｃ２−１）のモル比は、
１００／３０〜１５０／１が好ましく、１００／２０〜１００／１がより好ましく、１００／１５〜１００／３が特に好ましい。
【００８６】
（ｃ）成分が（ii）の高分子化合物の場合、（ｃ１−２）／（ｃ２−２）のモル比は、１０／１〜１０００／１が好ましく、１００／８〜７５０／１がより好ましく、１００／５〜１０００／４が特に好ましい。
【００８７】
（ｃ）成分のモノマー単位をこのような比率に調整することで、シリコーン化合物を安定に乳化させ、しかも大過剰の水に希釈しても乳化が壊れず、且つ繊維製品等の対象表面への吸着を促進する効果を得ることができる。
【００８８】
＜その他成分＞
本発明の繊維剤組成物は、（ａ）〜（ｃ）成分を必須成分とするが、乳化物の安定性を向上させる目的、及び油剤の対象表面への吸着を促進させる目的から（ｄ）成分として界面活性剤を用いることができる。
【００８９】
界面活性剤としては、非イオン界面活性剤、陽イオン界面活性剤、陰イオン界面活性剤及び両性界面活性剤を挙げることができ、乳化物の安定性の観点から非イオン界面活性剤（ｄ１）が好適であり、対象表面への吸着促進の観点から陽イオン界面活性剤（ｄ２）を併用することが好適である。
【００９０】
非イオン界面活性剤（ｄ１）としては、一般式（９）で表される化合物が乳化物の安定性の点から好適である。
【００９１】
Ｒ６１−Ｇ−〔（Ｒ６２−Ｏ）ｋ−Ｒ６３〕ｌ      （９）
〔式中、Ｒ６１は炭素数８〜３２、好ましくは１０〜２８、より好ましくは１０〜２４、特に好ましくは１０〜１８のアルキル基又はアルケニル基、Ｒ６２は炭素数２又は３のアルキル基である。Ｒ６３は水素原子又は炭素数１〜３のアルキル基、Ｇは−Ｏ−、−ＣＯＯ−、ＣＯＯ−、−ＣＯＮ＜又は−Ｎ＜から選ばれる連結基であり、Ｇが−Ｏ−又は−ＣＯＯ−の場合にはｋは１であり、Ｇが−ＣＯＮ＜又は−Ｎ＜の場合にはｋは２である。ｌは数平均で１〜１５０、好ましくは２〜８０、特に好ましくは４〜５０の値である。ここで、複数のＲ６２及びＲ６３は同一でも異なっていてもよい〕。
【００９２】
非イオン活性剤（ｄ１）としては、特に一般式（１０）で表される化合物が好ましい。
【００９３】
Ｒ６１−Ｏ−（Ｃ２Ｈ４Ｏ）ｋ−Ｈ      （１０）
〔式中、Ｒ６１及びｋは前記の意味を示す。〕
陽イオン界面活性剤（ｄ２）としては、下記一般式（１１）で表される化合物が対象表面への油剤の吸着促進の点から好適である。
【００９４】
【化８】
0004813200.tif 000008
【００９５】
〔式中、Ｒ７１は炭素数１１〜１８の炭化水素基、Ｗは−ＣＯＯ−又は−ＣＯＮＨ−から選ばれる基であり、Ｒ７２は炭素数２又は３のアルキレン基である。ｑは０又は１の数で
ある。Ｒ７３は炭素数１〜３のアルキル基、炭素数２又は３のヒドロキシアルキル基、もしくはＲ７１−〔Ｗ−Ｒ７２〕ｑ−である。Ｒ７４は炭素数１〜３のアルキル基、炭素数２又は３のヒドロキシアルキル基であり、Ｒ７５は炭素数１〜３のアルキル基、炭素数２又は３のヒドロキシアルキル基、もしくは水素原子である。Ｔ−は、有機又は無機の陰イオンである〕。
【００９６】
一般式（１１）の化合物においてＲ７１は、好ましくは炭素数１４〜１８のアルキル基、又はアルケニル基が好適であり、ｑは１の数が好ましい。Ｒ７４は、メチル基又はヒドロキシエチル基が好ましく、Ｒ７５は、水素原子、又はメチル基が好適である。Ｔ−は、ハロゲンイオン（好ましくはクロルイオン）、炭素数１から３のアルキル硫酸エステルイオン、炭素数１〜１２の脂肪酸イオン、炭素数１〜３のアルキル基で置換していてもよいベンゼンスルホン酸イオンが好適である。
【００９７】
（ｄ２）成分としては、Ｒ７３がＲ７１−〔Ｗ−Ｒ７２〕ｑ−である化合物（ｄ２−２）、及びＲ７３がメチル基又はヒドロキシエチル基である化合物（ｄ２−１）の混合物が好ましく、（ｄ２−２）／（ｄ２−１）を重量比で１００／１〜１００／１０、好ましくは１００／２〜１００／６の混合物が油剤の吸着性を促進させる目的から好適である。
【００９８】
本発明では、組成物のレオロジーを制御する目的、及び乳化組成物の安定性の点から、（ｅ）成分として水溶性溶剤を併用することが好ましい。好ましい水溶性溶剤としては、エタノール、プロパノール、イソプロパノール、エチレングリコール、プロピレングリコール、グリセリン、１，３−ブタンジオールが好適であり、特にグリセリン、エチレングリコール、プロピレングリコール、１，３−ブタンジオール等を挙げることができる。
【００９９】
本発明の組成物は水を含有するが、水として、微量に存在する重金属等を取り除いたイオン交換水や蒸留水を用いることができる。また、塩素等で滅菌した滅菌水を用いることもできる。
【０１００】
本発明では、繊維処理剤に用いられる通常の添加剤、例えば香料、防腐剤、染料、含量、粘度調節剤、無機塩、ハイドロトロープ剤等の成分を必要に応じて用いることができる。
【０１０１】
＜繊維処理剤組成物＞
本発明の組成物中における各成分の含有量は、以下のとおりである。
【０１０２】
（ａ）の含有量は、０．１〜５０質量％が好ましく、１０〜４０質量％が更に好ましく、２〜３０％が特に好ましい。
【０１０３】
（ｂ）成分の含有量は、０．１〜３０質量％が好ましく、０．５〜２５質量％が更に好ましく、０．５〜２０質量％が特に好ましい。
【０１０４】
（ｃ）成分の含有量は、０．０１〜１５質量％、好ましくは０．１〜１０質量％、特に好ましくは０．２〜５質量％である。
【０１０５】
（ａ）成分と（ｂ）成分を合わせた配合量を２〜５０質量％、好ましくは３〜４５質量％、特に好ましくは５〜４０質量％である。また、（ａ）成分と（ｂ）成分の質量比は、（ａ）成分／（ｂ）成分＝１／１０〜５／１が好ましく、１／１０〜４／１が更に好ましく、１／１０〜３／１が特に好ましい。
【０１０６】
〔（ａ）成分＋（ｂ）成分〕と（ｃ）成分の配合比率は、〔（ａ）成分＋（ｂ）成分〕
／（ｃ）成分＝１０／３〜１５０／１が好ましい。
【０１０７】
（ｃ）成分が上記（i）の化合物の場合、〔（ａ）成分＋（ｂ）成分〕／（ｃ）成分の
質量比は、１００／３０〜１５０／１が好ましく、１００／２０〜１００／１がより好ましく、１００／１０〜８０／１が特に好ましい。
【０１０８】
（ｃ）成分が上記（ii）の化合物の場合、〔（ａ）成分＋（ｂ）成分〕／（ｃ）成分の質量比は、１０／３〜１５０／１が好ましく、２０／３〜１００／１がより好ましく、１０／１〜８０／１が特に好ましい。
【０１０９】
本発明の組成物中における水の含有量は、４０〜９５質量％が好ましく、５０〜９０質量％がより好ましく、６０〜９０質量％が特に好ましい。
【０１１０】
（ｄ）成分の含有量は、０〜２０質量％が好ましく、１〜１５質量％がより好ましく、２〜１０質量％が特に好ましい。（ｅ）成分の含有量は、貯蔵安定性の点から、０．５〜３０質量％が好ましく、１〜２０質量％がより好ましく、４〜１５質量％が特に好ましい。
【０１１１】
本発明の組成物は、２０℃におけるｐＨを１〜１１、好ましくは２〜９に調整することが安定性の点から好適である。ｐＨ調整剤としては、塩酸や硫酸等無機酸や、クエン酸、コハク酸、リンゴ酸、フマル酸、酒石酸、マロン酸、マレイン酸等の有機酸等の酸剤や、水酸化ナトリウムや水酸化カリウム、アンモニアやその誘導体、モノエタノールアミンやジエタノールアミン、トリエタノールアミン等のアミン塩等、炭酸ナトリウム、炭酸カリウム等のアルカリ剤を、単独もしくは複合して用いることが好ましく、特に塩酸、硫酸、クエン酸から選ばれる酸と水酸化ナトリウムや水酸化カリウムから選ばれるアルカリ剤を用いることが好ましい。
【０１１２】
本発明の組成物は、２０℃における粘度が２〜３００ｍＰａ・ｓ、好ましくは５〜２００ｍＰａ・ｓ、より好ましくは１０〜１５０ｍＰａ・ｓであることが、取り扱いやすさ、及び乳化組成物の安定性から好ましい。このような粘度調整には、（ｅ）成分や通常の粘度調整剤等を用いることができる。
【０１１３】
＜繊維処理剤組成物の製造方法＞
本発明の組成物の製造方法は、特に限定されないが、下記製造方法で製造することができる。
【０１１４】
常温にて（ｃ）成分、必要に応じて（ｄ１）成分及び（ｄ２）成分、（ｅ）成分を、必要量の１５質量％相当量の水に添加し、次に昇温後８０℃にて攪拌した後、２５℃まで冷却する（この混合溶液を「溶液（ｆ）」とする）。次に、必要に応じて、更に溶液（ｆ）に（ｄ１）成分及び（ｄ２）成分を攪拌しながら添加し、攪拌放置する。
【０１１５】
その後、（ａ）成分と（ｂ）成分をゆっくりと添加する。（ａ）成分が常温で固体又は流動しない状態の場合には、融点又は流動点以上に加温して添加することが望ましい。また、その場合には、溶液（ｆ）も（ａ）成分の融点、又は流動点以上の温度に加温することが望ましい。
【０１１６】
（ａ）及び（ｂ）成分の添加後、更に攪拌した後、配合物の温度を６０℃、（ａ）成分の融点又は（ａ）成分の流動点以上に上昇させ、更に攪拌する。そのままの温度か、又は必要に応じて４０℃程度まで冷却し、残りの水をゆっくりと添加し、攪拌する。また、必要に応じてｐＨを調整した後、ゆっくりと常温まで配合物の温度を下げて、本発明の組成
物を得る。上記製造方法において（ａ）成分と（ｂ）成分の一部を、（ｃ）成分と一緒に添加してもよい。
【０１１７】
本発明では溶液（ｆ）を２０〜７５℃、好ましくは３０〜６０℃に調整し、水を２０〜９０℃、好ましくは３０〜７０℃で混合することが好適である。（ｄ１）成分及び（ｄ２）成分は、溶液（ｆ）に予め添加していてもよく、（ｅ）成分に予め溶解させていてもよく、更に溶液（ｆ）と水を混合した後に添加しても差し支えない。
【０１１８】
＜繊維処理剤組成物の使用方法＞
本発明の組成物の使用方法は、対象の繊維衣料に対して処理する量としては、（ａ）成分と（ｂ）成分の合計量が衣類に対して、０．０５〜５．０質量％となる量が好ましく、０．０７〜４．０質量％となる量が更に好ましく、０．１〜３．０％質量％となる量が特に好ましい。
【０１１９】
具体的には、本発明の組成物を、繊維製品を含む洗濯水や濯ぎ水に上記の質量％の範囲になるように添加、処理することで、効率的に（ａ）成分と（ｂ）成分を繊維に吸着させることができる。また、処理する繊維製品と水の質量比（浴比＝水の質量／繊維製品の質量）が５〜３０、好ましくは８〜２０の条件下で、上記記載の質量％になるように、本発明の組成物を添加することが好ましい。
【０１２０】
本発明の組成物は、（ａ）成分及び（ｂ）成分を内包した水中油型乳化物を含んでいるため、使用時において希釈により乳化が壊れず、かつ処理対象表面に（ａ）成分及び（ｂ）成分を効率的に吸着させることができる。
【実施例】
【０１２１】
実施例及び比較例に用いる配合成分を以下にまとめて示す。配合成分中の（ａ）成分及び（ｂ）成分の粘度は２５℃における粘度である。また、例中の「％」は、特記しない限り「質量％」である。
【０１２２】
＜配合成分＞
・（ａ）成分
（ａ−１）：スクアラン
（ａ−２）：ワセリン
（ａ−３）：トリオレイン
（ａ−４）：和光純薬工業（株）製  ポリプロピレングリコール,ジオール型,３０００）（ａ−５）：和光純薬工業（株）製  ポリプロピレングリコール,トリオール型,４０００）
・（ｂ）成分
（ｂ１−１）：日本ユニカ（株）製  ポリエーテル変性シリコーン  ＦＺ−２２０３（ＨＬＢ１、５０００ｍｍ２／ｓ）
（ｂ１−２）：日本ユニカ（株）製  ポリエーテル変性シリコーン  ＦＺ−２２２２（ＨＬＢ７、２５０００ｍｍ２／ｓ）
（ｂ２−１）：日本ユニカ（株）製  ポリエーテル変性シリコーン  ＦＺ−２１０９（ＨＬＢ１、１２００ｍｍ２／ｓ）
（ｂ２−２）：信越化学工業（株）製  ポリエーテル変性シリコーン  ＫＦ−６０１２（ＨＬＢ７、１６００ｍｍ２／ｓ）
（ｂ２−３）：東レ・ダウコーニング・シリコーン（株）製  ポリエーテル変性シリコーン  ＳＨ−３７７２Ｍ（ＨＬＢ６、１０５０ｍｍ２／ｓ）
（ｂ２−４）下記構造式のポリエーテル変性シリコーン
【化９】
0004813200.tif 000009
・（ｂ’）成分
（ｂ’−１）：信越化学工業（株）製  ポリエーテル変性シリコーン  ＫＦ−６０１３（ＨＬＢ１０，４００ｍｍ２／ｓ）
・（ｃ）成分
（ｃ−１）：ビニルピロリドン、ジメチルアミノプロピルメタクリレート及びジメチルアミノプロピルメタクリレートのラウリルクロライドによる４級アンモニウム塩の共重合体（スタイリーゼＷ-２０、アイエスピー・ジャパン（株）製、（ｃ１-１）／（ｃ２-１）
＝９０／１０（モル比））
（ｃ−２）：合成例１で製造した高分子化合物（ｃ-２）
（ｃ−３）：合成例２で製造した多糖誘導体（ｃ-３）
（ｃ−４）：合成例３で製造した多糖誘導体（ｃ-４）
（ｃ−５）：合成例４で製造した多糖誘導体（ｃ-５）
・（ｃ’）成分
（ｃ’−１）：ポリアクリル酸ナトリウム（日本触媒（株）製、アクアリックＤＬ−３８４、重合平均分子量：８０００）
（ｃ’−２）：ラウリルアルコールにエチレンオキサイドをアルコール１モル当たり平均１２モル付加させた非イオン性界面活性剤
・（ｄ）成分
（ｄ１−１−１）：ラウリルアルコールのエチレンオキシド付加物（平均ＥＯ付加モル数２０モル）
（ｄ２−１−１）：Ｎ−ステアロイルアミノプロピルーＮ−ステアロイルオキシエチルーＮ、Ｎ−ジメチルアンモニウムクロリド
（ｄ２−２）：Ｎ−ステアロイルプロピルーＮ−２−ヒドロキシエチル−Ｎ、Ｎ−ジメチルアンモニウムクロリド
・（ｅ）成分
（ｅ−１）：グリセリン
【０１２３】
合成例１：高分子化合物（ｃ−２）の合成例
Ｎ，Ｎ-ジメチルアクリルアミド９４．２ｇ，ＡＬＥ-９００（日本油脂（株）製 ラウ
ロキシポリエチレングリコール（ＥＯ＝１８）モノアクリレート）５１．７ｇ、エタノール２００ｇを混合した。この溶液中に窒素ガスを吹き込み（２０ｍｌ／ｍｉｎ，１時間）、系内を脱気した後、６０℃に昇温した。その後、Ｖ-６５（和光純薬工業（株）製、重
合開始剤）エタノール溶液（３％）８２．８ｇを６０℃に保ちながら滴下した。滴下終了後６０℃で１時間熟成を行った。反応終了後、得られた反応終了物をジイソプロピルエーテル２ｋｇ中に滴下した。得られた白色固体を濾別し、更にジイソプロピルエーテルで洗浄した（５００ｇ×２回）。減圧乾燥の後、式（１２）で表される高分子化合物（ｃ−２）を１１５ｇ得た。得られた（ｃ−２）のラウロキシポリエチレングリコールモノアクリレートの導入率［ｒ２／（ｒ１＋ｒ２）］をＮＭＲより測定した結果、０．０５４であっ
た。また、重量平均分子量は６５０００であった。
【０１２４】
【化１０】
0004813200.tif 000010
【０１２５】
合成例２：多糖誘導体（ｃ−３）の合成例
重量平均分子量２０万、ヒドロキシエチル基の置換度２．５のヒドロキシエチルセルロース（NATROZOL250G，ハーキュレス社製）１６０ｇ、含水８０％イソプロピルアルコール１２８０ｇ、４８％水酸化ナトリウム水溶液９．８ｇを混合して、スラリー液を調製し、窒素雰囲気下室温で３０分撹拌した。この溶液に、次式（１３）で表される化合物３１．８ｇを加え、８０℃で８時間反応させてポリオキシアルキレン化を行った。反応終了後、反応液を酢酸で中和し、反応生成物を濾別した。反応生成物をイソプロピルアルコール７００ｇで２回洗浄後、減圧下６０℃で一昼夜乾燥し、ポリオキシアルキレン化されたヒドロキシエチルセルロース誘導体（多糖誘導体（ｃ−３））１５２ｇを得た。得られた多糖誘導体（ｃ−３）のポリオキシアルキレン基を含む置換基の置換度は、０．０１４であった。
【０１２６】
【化１１】
0004813200.tif 000011
【０１２７】
合成例３：多糖誘導体（ｃ−４）の合成例
重量平均分子量５０万、ヒドロキシエチル基の置換度１．８のヒドロキシエチルセルロース（ＨＥＣ-ＱＰ４４００Ｈ，ユニオンカーバイド社製）８０ｇ、含水８０％イソプロ
ピルアルコール６４０ｇ、４８％水酸化ナトリウム水溶液５．３４ｇを混合して、スラリー液を調製し、窒素雰囲気下室温で３０分撹拌した。この溶液に、前記式（１３）で表される化合物１２．７８ｇを加え、８０℃で８時間反応させてポリオキシアルキレン化を行った。反応終了後、反応液を酢酸で中和し、反応生成物を濾別した。反応生成物をイソプロピルアルコール５００ｇで２回洗浄後、減圧下６０℃で一昼夜乾燥し、ポリオキシアルキレン化されたヒドロキシエチルセルロース誘導体（多糖誘導体（ｃ−４））７３ｇを得た。得られた多糖誘導体（ｃ−４）のポリオキシアルキレン基を含む置換基の置換度は、０．００４であった。
【０１２８】
合成例４：多糖誘導体（ｃ−５）の合成例
重量平均分子量１５０万、ヒドロキシエチル基の置換度１．８のヒドロキシエチルセルロース（ＨＥＣ-ＱＰ１００ＭＨ，ユニオンカーバイド社製）８０ｇ、８０％イソプロピ
ルアルコール６４０ｇ及び４８％水酸化ナトリウム水溶液５．３４ｇを混合してスラリー液を調製し、窒素雰囲気下室温で３０分間攪拌した。この溶液に前記式（１３）で表される化合物１２．７８ｇを加え、８０℃で８時間反応させてポリオキシアルキレン化を行っ
た。反応終了後、反応液を酢酸で中和し、反応生成物をろ別した。反応生成物をイソプロピルアルコール５００ｇで２回、減圧下６０℃で１昼夜乾燥し、ポリオキシアルキレン化されたヒドロキシエチルセルロース誘導体（多糖誘導体（ｃ−５））７２．０ｇを得た。得られた多糖誘導体（ｃ−５）のポリオキシアルキレン基を含む置換基の置換度は０．００４であった。
【０１２９】
実施例１〜１０及び比較例１
表１の（ｃ）成分、１／５（質量比）の（ａ）成分及び（ｂ）成分〔又は（ｂ’）成分〕、更に必要により（ｄ）成分、（ｅ）成分を表１の組成にするのに必要な水の１５％（２５℃）に添加し、２５℃にて１時間攪拌した後、更に２０分攪拌した後、残りの（ａ）成分及び（ｂ）成分〔又は（ｂ’）成分〕を添加した。
【０１３０】
次に、２５℃で１時間攪拌した後、配合物の温度を６０℃に上昇させ、１時間攪拌した。その後、１時間かけて４０℃まで冷却した後、残りの水（４０℃）を添加し、３０分攪拌し、ｐＨを調整した後、１時間かけて２５℃にまで配合物の温度を下げて、水中油型乳化物を含む組成物を得た。尚、攪拌速度は全ての工程で４００ｒｐｍである。得られた組成物を用いて、風合いの評価をした。結果を表１に示す。
【０１３１】
＜木綿タオルの風合い評価＞
（１）柔軟処理タオルＡの調整方法
市販の木綿タオル（白色、３４ｃｍ×８６ｃｍ、６８ｇ／１枚、綿１００％）２４枚を市販の衣料用洗剤（花王（株）アタック）を用いて洗濯機で洗浄した（東芝製２槽式洗濯機ＶＨ−３６０Ｓ１、洗剤濃度０．０６７７質量％、水道水３０Ｌ（水温２０℃）使用、水温２０℃、１０分間）。その後、洗浄液を排出し、３分間脱水後、３０Ｌの水道水（水温２０℃）を注水した。５分間攪拌後、濯ぎ水を排出し、３分間脱水した。次に３０Ｌの水道水（水温２０℃）を注水し、５分間攪拌後、濯ぎ水を排出し、３分間脱水した。このサイクルを５回繰り返した後、室温で風乾した。この風乾した木綿タオルの質量を測定した。
【０１３２】
次に、この木綿タオルを衣料用洗剤（花王（株）アタック）を用いて洗濯機で洗浄した〔東芝製２槽式洗濯機ＶＨ−３６０Ｓ１、洗剤濃度０．０６７７質量％、風乾した木綿タオルの質量の１７倍の質量の水（水温２０℃）使用、水温２０℃、５分間〕。その後、洗浄液を排出し、３分間脱水後、風乾した木綿タオルの質量の１７倍の質量の水道水（水温２０℃）を注水した。５分間攪拌後、濯ぎ液を排水し、３分間脱水した。次に、風乾した木綿タオルの質量の１７倍の質量の水道水（水温２０℃）を注水した。次に、風乾した木綿タオルの質量の１．３４質量％に相当する表１に示す組成物を添加し、３分間攪拌した。その後、水を排出し、３分間脱水し自然乾燥した。
【０１３３】
（２）柔軟処理タオルＢの調製整方法
市販の木綿タオル（白色、３４ｃｍ×８６ｃｍ、６８ｇ／１枚、綿１００％）２４枚を市販の衣料用洗剤（花王（株）アタック）を用いて洗濯機で洗浄した〔東芝製２槽式洗濯機ＶＨ−３６０Ｓ１、洗剤濃度０．０６７７質量％、水道水３０Ｌ（水温２０℃）使用、水温２０℃、１０分間〕。その後、洗浄液を排出し、３分間脱水後、３０Ｌの水道水（水温２０℃）を注水した。５分間攪拌後、濯ぎ水を排出し、３分間脱水した。次に、３０Ｌの水道水（水温２０℃）を注水し、５分間攪拌後、濯ぎ水を排出し、３分間脱水した。このサイクルを５回繰り返した後、室温で風乾した。この風乾した木綿タオルの質量を測定した。
【０１３４】
次に、この木綿タオルを衣料用洗剤（花王（株）アタック）を用いて洗濯機で洗浄した〔東芝製２槽式洗濯機ＶＨ−３６０Ｓ１、洗剤濃度０．０６７７質量％、風乾した木綿タ
オルの質量の１７倍の質量の水（水温２０℃）使用、水温２０℃、５分間〕。その後、洗浄液を排出し、３分間脱水後、風乾した木綿タオルの質量の１７倍の質量の水道水（水温２０℃）を注水した。５分間攪拌後、濯ぎ液を排水し、３分間脱水した。次に、風乾した木綿タオルの質量の１７倍の質量の水道水（水温２０℃）を注水した。次に、風乾した木綿タオルの質量の０．４７質量％に相当するジ硬化牛脂ジメチルアンモニウムクロライド１５％を含む組成物を添加し、３分間攪拌した。その後、水を排出し、３分間脱水し自然乾燥した。
【０１３５】
（３）風合い評価
上記処理した木綿タオルを八つ折りにし、両手で軽く握りしめた時の風合いを１０人のパネラー（３０代男性１０人）により、下記の基準で判定し、平均点を求めた。平均点が０．５以上を◎、０以上０．５未満を○、０未満を×として判定した。
−１：処理タオルＡに比べて、処理タオルＢが柔らかい
０：処理タオルＡと、処理タオルＢの柔らかさは同等であった
＋１：処理タオルＡのほうが、処理タオルＢよりも柔らかい
【０１３６】
【表１】
0004813200.tif 000012
【０１３７】
＊：ｐＨ（２０℃）は、１／１０規定硫酸水溶液及び１／１０規定水酸化ナトリウム水溶液を調整した。
【０１３８】
実施例１１〜２０及び比較例２、３
表２の各成分を用い、実施例１〜８と同様にして調製した組成物を用い、下記方法にて吸着量を測定した。但し、調製時には、（ｃ’）成分は（ｃ）成分と同様に扱った。結果
を表２に示す。
【０１３９】
＜吸着量測定方法＞
２０℃，４度硬水２２５０ｍｌ中に各組成物を３ｇ添加し（０．６ｇの〔（ａ）成分+
（ｂ）成分〕を添加）、１分間攪拌した（ミニ洗濯機使用）。その後、木綿メリヤス約１６ｇ×８枚（トータルで約１５０ｇ）を加え５分間処理した。処理終了後脱水（３分）を行い一晩乾燥（風乾）した。乾燥後、処理布から１ｇづつ切り取りヘキサン５ｍＬ（本発明品９の場合はイソプロピルアルコール（ＩＰＡ）５ｍｌ）及び内部標準を添加した後、バス式ソニケーターにて１５分処理を行った。抽出液（ヘキサン又はＩＰＡ）を用いキャピラリーＧＣにて定量を行った。
【０１４０】
カラム：ＤＢ-１ＨＴ １５ｍ
条件：１００℃→１０℃／ｍｉｎ→３４０℃→３４０℃保持３６ｍｉｎ
【０１４１】
【表２】
0004813200.tif 000013
【０１４２】
＊：ｐＨ（２０℃）は、１／１０規定硫酸水溶液及び１／１０規定水酸化ナトリウム水溶液を調整した。